【手続補正書】
【提出日】平成17年11月17日(2005.11.17)
【手続補正１】
【補正対象書類名】明細書
【補正対象項目名】発明の名称
【補正方法】変更
【補正の内容】
【発明の名称】無線カード
【手続補正２】
【補正対象書類名】明細書
【補正対象項目名】特許請求の範囲
【補正方法】変更
【補正の内容】
【特許請求の範囲】
【請求項１】  発振手段で発振された発振クロックを用いて基準クロックを生成するクロック生成手段を有して無線通信を行う無線カードにおいて、
無線通信における受信待ち及び受信時に上記発振手段とクロック生成手段とを動作する制御を行う第１の制御手段と、
無線通信における送信時に上記発振手段とクロック生成手段とを停止する制御を行う第２の制御手段と、
を具備したことを特徴とする無線カード。
【請求項２】  無線送信されたキャリアを受信する受信手段と、
クロックを発振する発振手段と、
この発振手段で発振された発振クロックを用いて基準クロックを生成するクロック生成手段と、
このクロック生成手段で生成された基準クロックと上記受信手段で受信されたキャリアとを切り換える切換手段と、
無線通信における受信待ち及び受信時に、上記発振手段とクロック生成手段とを動作した後、上記切換手段で上記基準クロックに切り換える制御を行う第１の制御手段と、
無線通信における送信時に、上記切換手段で上記キャリアに切り換えた後、上記発振手段とクロック生成手段とを停止する制御を行う第２の制御手段と、
を具備したことを特徴とする無線カード。
【請求項３】
上記第２の制御手段は、無線通信における送信時に、上記切換手段で上記キャリアに切り換えた後、上記クロック生成手段を停止し、次に上記発振手段を停止するよう制御することを特徴とする請求項２記載の無線カード。
【請求項４】
無線送信されたキャリアを受信する受信手段と、
クロックを発振する発振手段と、
この発振手段で発振された発振クロックを用いて第１と第２の基準クロックを生成するクロック生成手段と、
このクロック生成手段で生成される第２の基準クロックを基準にして、上記第１の基準クロックと上記キャリアとを切り換える切換手段と、
無線通信における受信待ち及び受信時に、上記発振手段とクロック生成手段とを動作した後、上記切換手段で上記第１の基準クロックに切り換える制御を行う第１の制御手段と、
無線通信における送信時に、上記切換手段で上記キャリアに切り換えた後、上記発振手段とクロック生成手段とを停止する制御を行う第２の制御手段と、
を具備したことを特徴とする無線カード。
【請求項５】  上記第２の制御手段は、無線通信における送信時に、上記切換手段で上記キャリアに切り換えた後、上記クロック生成手段への発振クロックの供給を停止することにより上記クロック生成手段を停止した後、上記発振手段を停止するよう制御することを特徴とする請求項４記載の無線カード。
【手続補正３】
【補正対象書類名】明細書
【補正対象項目名】０００１
【補正方法】変更
【補正の内容】
【０００１】
【発明の属する技術分野】
この発明は、たとえばリーダ／ライタのような情報処理装置と無線通信を行う無線カードに関する。
【手続補正４】
【補正対象書類名】明細書
【補正対象項目名】０００３
【補正方法】変更
【補正の内容】
【０００３】
図４は、従来の無線カードＬＳＩの構成を示すもので、アンテナ２１、電源発生回路２２、変調・復調回路２３、ＰＬＬ回路２４、発振回路（ＯＳＣ）２５、制御回路２６、およびメモリ２７とから構成されている。図に示す無線カードＬＳＩ内部に搭載されているシステムの基準クロックを生成するＰＬＬ回路２４は、システム全体の消費電力に対しその占める割合が大きい。このことから以下のような弊害が生じる。
【手続補正５】
【補正対象書類名】明細書
【補正対象項目名】０００８
【補正方法】変更
【補正の内容】
【０００８】
そこで、この発明は、送信時の消費電力を低減させて電力効率を向上させ、送信距離を伸ばすことのできる無線カードを提供することを目的とする。
【手続補正６】
【補正対象書類名】明細書
【補正対象項目名】０００９
【補正方法】変更
【補正の内容】
【０００９】
【課題を解決するための手段】
この発明の無線カードは、発振手段で発振された発振クロックを用いて基準クロックを生成するクロック生成手段を有して無線通信を行う無線カードにおいて、無線通信における受信待ち及び受信時に上記発振手段とクロック生成手段とを動作する制御を行う第１の制御手段と、無線通信における送信時に上記発振手段とクロック生成手段とを停止する制御を行う第２の制御手段とから構成されている。
【手続補正７】
【補正対象書類名】明細書
【補正対象項目名】００１０
【補正方法】変更
【補正の内容】
【００１０】
この発明の無線カードは、無線送信されたキャリアを受信する受信手段と、
クロックを発振する発振手段と、この発振手段で発振された発振クロックを用いて基準クロックを生成するクロック生成手段と、このクロック生成手段で生成された基準クロックと上記受信手段で受信されたキャリアとを切り換える切換手段と、無線通信における受信待ち及び受信時に、上記発振手段とクロック生成手段とを動作した後、上記切換手段で上記基準クロックに切り換える制御を行う第１の制御手段と、無線通信における送信時に、上記切換手段で上記キャリアに切り換えた後、上記発振手段とクロック生成手段とを停止する制御を行う第２の制御手段とから構成されている。
【手続補正８】
【補正対象書類名】明細書
【補正対象項目名】００１１
【補正方法】変更
【補正の内容】
【００１１】
この発明の無線カードは、無線送信されたキャリアを受信する受信手段と、クロックを発振する発振手段と、この発振手段で発振された発振クロックを用いて第１と第２の基準クロックを生成するクロック生成手段と、このクロック生成手段で生成される第２の基準クロックを基準にして、上記第１の基準クロックと上記キャリアとを切り換える切換手段と、無線通信における受信待ち及び受信時に、上記発振手段とクロック生成手段とを動作した後、上記切換手段で上記第１の基準クロックに切り換える制御を行う第１の制御手段と、無線通信における送信時に、上記切換手段で上記キャリアに切り換えた後、上記発振手段とクロック生成手段とを停止する制御を行う第２の制御手段とから構成されている。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００２０
【補正方法】変更
【補正の内容】
【００２０】
図２は、クロック制御回路８の概略構成を示すもので、基準クロックを生成するＰＬＬ回路１１、ＰＬＬ回路１１に発振クロックを供給する発振回路（ＯＳＣ）１２、ＰＬＬ回路１１からの信号ａと入力されるキャリアとを選択するクロックセレクト１３、及びクロックセレクト１３から出力されるクロックを切り換えるクロック切り換え回路１４とから構成されている。
【手続補正１４】
【補正対象書類名】明細書
【補正対象項目名】００２４
【補正方法】変更
【補正の内容】
【００２４】
上記図３のＡ，Ｂにおいて制御回路６は、ＰＬＬ回路１１で生成した信号ａで制御系を動作させ（図３Ｒ＞３のＫ）、この時の位相変調信号の符号を復調するのには信号ｂを用いる。
【手続補正１５】
【補正対象書類名】明細書
【補正対象項目名】００２５
【補正方法】変更
【補正の内容】
【００２５】
そして、制御回路６は、制御系で受信動作が終わり、送信動作に移行する直前に、クロックセレクト１３とクロック切り換え回路１４とを用いてＰＬＬ回路１１の信号ａとキャリアを切り換える（図３のＫ→Ｌ）。このクロック切り換え回路１４は、ＰＬＬ回路１１の信号ｂを基準に動作するものが設けられている。
【手続補正１６】
【補正対象書類名】明細書
【補正対象項目名】００３１
【補正方法】変更
【補正の内容】
【００３１】
続いて、制御回路６は、ＰＬＬ回路１１の出力とキャリアとを位相比較し、正常な位相関係となったら、クロックセレクト１３とクロック切り換え回路１４とを用いてキャリアとＰＬＬ回路１１の信号ａを切り換える（図３のＬ→Ｍ）。この場合のクロック切り換え回路１４も、信号ｂを基準に動作するものが設けられている。